(57)【要約】      （修正有）【課題】多種の異なる発光ダイオードを発光体とし、無線リモートコントローラの導入により、LEDの発光の組み合わせ状態を選択的に制御し、多彩な表示效果を得ることができる、無線リモートコントローラを利用したLED発光体の提供。【解決手段】複数個のLED発光体を含み複数色の光源を発生するLED発光ユニット２１と、該LED発光体を制御し、必要な色の光源を発生させる回路制御ユニット２２、及びリモートコントローラから送信されるエンコード信号に対応し、制御信号を生成して該回路制御ユニットの動作を制御するデコーダ２３を含むランプ座体２１１と、該ランプ座体と係合され、ランプの形状を形成すると共に、該LED発光ユニットが発光する時、その発せられた光源を混合することができるランプ殼体２１２と、該ランプ座体を覆う座体殼体と、該座体殼体の上に設置され、リモートコントローラが送信する前記エンコード信号を受信する受信器２４を含んで成る。【選択図】図１ｃ
0003105089.tif 000002
【実用新案登録請求の範囲】
【請求項１】
LED発光ユニットと回路制御ユニットとデコーダを含むランプ座体と、該ランプ座体と係合されてランプの形状を形成し、且つ、該LED発光ユニットが発光する時、その発せられる光源を混合するランプ殼体と、該ランプ座体を覆う座体殼体と、該座体殼体の上に設置され、リモートコントローラが発信するエンコード信号を受信する受信器とを含むLED発光体。
【請求項２】
該リモートコントローラが更に、複数個の制御ボタンを含み、操作信号を発信するボタンセットと、該複数個の制御ボタンに接続され、該ボタンセットが発信する該操作信号に対しエンコードを行い、エンコード信号を形成するエンコーダと、該エンコーダに接続され、該エンコード信号を該受信器に対し送信する発信器とを含む請求項１に記載のLED発光体。
【請求項３】
該LED発光ユニットが更に、複数個のLED発光体を含み、該複数個のLED発光体がそれぞれ複数種の色の光源を発する請求項１に記載のLED発光体。
【請求項４】
該LED発光ユニットが、少なくとも、赤色、青色、緑色、黄色のLEDまたはその組み合わせから成る発光器である請求項３に記載のLED発光体。
【請求項５】
該回路制御ユニットが、該LED発光ユニットに接続され、該LED発光ユニット内の複数個のLED発光体を制御し、必要な色の光源を発生させる請求項１に記載のLED発光体。
【請求項６】
該デコーダが、該回路制御ユニット及び該受信器の間に接続され、該エンコード信号を受信し、デコーディングを行なって制御信号を生成し、該回路制御ユニットの作動を制御すると共に、該LED発光ユニットに該リモートコントローラの該複数個の制御ボタンに対応し、必要な色の光源を発生させる請求項１に記載のLED発光体。
【請求項７】
該受信器が赤外線受信器である請求項１に記載のLED発光体。
【請求項８】
該LED発光体に接続された電源供給器を含み、該電源供給器が該LED発光ユニットに電源を提供する請求項１に記載のLED発光体。
【請求項９】
該電源供給器が更に、AC交流／DC直流電源変換供給回路を含む請求項８に記載のLED発光体。
【請求項１０】
該回路制御ユニッが機能切換回路である請求項１に記載のLED発光体。
【請求項１１】
該回路制御ユニットが更に、増幅回路を含み、制御信号を増幅させる請求項１０に記載のLED発光体。
【請求項１２】
該ランプ座体が更に、導線プラグを含む請求項１に記載のLED発光体。
【請求項１３】
該受信器が、導線と該ランプ座体の該導線プラグを介して接続される請求項１２に記載のLED発光体。
【請求項１４】
エンコード信号を生成するリモートコントローラと、LED発光ユニットと回路制御ユニットとデコーダを含むランプ座体と、該ランプ座体と係合されてランプの形状を形成し、且つ、該LED発光ユニットが発光する時、その発せられる光源を混合するランプ殼体と、該ランプ座体を覆う座体殼体と、該座体殼体の上に設置され、リモートコントローラが発信する該エンコード信号を受信する受信器とを含むLED発光体。
【請求項１５】
該リモートコントローラが更に、複数個の制御ボタンを備え、操作信号を発信するボタンセットと、該複数個の制御ボタンに接続され、該ボタンセットが発信する該操作信号に対しエンコードを行い、エンコード信号を生成するエンコーダと、該エンコーダに接続され、該エンコード信号を該受信器に対し送信する発信器とを含む請求項１４に記載のLED発光体。
【請求項１６】
該LED発光ユニットが更に、複数個のLED発光体を含み、該複数個のLED発光体がそれぞれ複数種の色の光源を発する請求項１４に記載のLED発光体。
【請求項１７】
該LED発光ユニットが、少なくとも、赤色、青色、緑色、黄色のLEDまたはその組み合わせから成る発光器である請求項１６に記載のLED発光体。
【請求項１８】
該回路制御ユニットが、該LED発光ユニットに接続され、該LED発光ユニット内の複数個のLED発光体を制御し、必要な色の光源を発生させる請求項１４に記載のLED発光体。
【請求項１９】
該デコーダが、該回路制御ユニット及び該受信器の間に接続され、該エンコード信号を受信し、デコーディングを行なって制御信号を生成し、該回路制御ユニットの作動を制御すると共に、該LED発光ユニットに該リモートコントローラの該複数個の制御ボタンに対応し、必要な色の光源を発生させる請求項１４に記載のLED発光体。
【請求項２０】
該受信器が赤外線受信器である、請求項１４に記載のLED発光体。
【請求項２１】
該LED発光体に接続された電源供給器を含み、該電源供給器が該LED発光ユニットに電源を提供する請求項１４に記載のLED発光体。
【請求項２２】
該電源供給器が更に、AC交流／DC直流電源変換供給回路を含む請求項２１に記載のLED発光体。
【請求項２３】
該回路制御ユニッが機能切換回路である請求項１４に記載のLED発光体。
【請求項２４】
該回路制御ユニットが更に、増幅回路を含み、制御信号を増幅させる請求項２３に記載のLED発光体。
【請求項２５】
該ランプ座体が更に、導線プラグを含む請求項１４に記載のLED発光体。
【請求項２６】
該受信器が、導線と該ランプ座体の該導線プラグを介して接続される請求項２５に記載のLED発光体。
【考案の詳細な説明】
【技術分野】
【０００１】
本考案は、LED発光体に関し、特に、無線リモートコントローラ付のLED発光体に関する。
【背景技術】
【０００２】
LED照明器具は、伝統的な照明と異なり、LED光源を採用した技術であり、照明器具の選択使用において、白熱灯やハロゲン灯、蛍光灯等従来の照明器具は淘汰され、寿命が長く、性能が安定しており、動作環境に対する制限が少ないLED照明器具が使用されている。従来の照明器具に比べ、LED照明器具は以下のような特長がある。 
【０００３】
１．消耗電力が低く、運用費用が低い。同様な視感効率のLED光源は、従来の光源に比べ80％以上エネルギーを節約でき、例えば、2000メートル長の橋梁のLEガードレールランプを1時間点灯させると、10度の電力を消費するのみであり、年間の電気代は従来の光源のライトに比べ数万元から数十万元の節約になる。 
２．メンテナンスコストが低い。LED照明器具の動作は安定しており、動作環境に対する制限も少なく、悪天候等環境の影響に起因する頻繁な交換の必要がない。
３．寿命が長い。LED照明器具は、固体半導体チップを利用し、電気エネルギーを光エネルギーに変換して発光し、外側がエポキシ樹脂パッケージで覆われているため、高強度の機械的衝撃と振動に耐えることができる。LED単管の寿命は10万時間であり、光源の寿命は2万時間以上で、毎日12時間使用するとして計算すると、その寿命は5年以上になる。 
４．視感効率が高い。白熱灯、ハロゲン灯の視感効率は、12〜24lm/Wであり、蛍光灯は50〜120lm/Wで、且つ、その光源は黒体放射を採用しており、発射されるエネルギー量において僅か約10％が可視光として利用できるのみであり、残りは無用な熱量であり、また、一つの色を得るために、カラーフィルターを使用し、他の色をフィルリングする必要があり、エネルギーの浪費を招く。LEDは、視感効率が50〜200lm/Wであり、スペクトルが狭く、単色性がよく、発する光のほとんどすべてを利用することができ、且つ、フィルターを必要とせずに直接色光を発することができる。
５．動作が安定しており、設置が簡単である。LED光源は直流駆動の超低エネルギー消費部品を採用しており、耐震性と耐衝撃性を備え、無放射で、動作が安定しており、放熱を考慮する必要がなく、設置が簡単で利便性が高い。
６．安全性が高い。LED光源は調光が可能で発光が安定しており、光型を正確に制御でき、閃光が小さく、発熱が少ないだけでなく、比較的低い紫外線を備え、冷光であるため安全に触れることができる、等の優れた利点があり、水銀元素を含まず、健康に危害を与えない。 
【０００４】
このため、LED（発光ダイオード）照明器具は、新しい時代のハイテク装飾類の照明光源であり、且つ、消費エネルギーが低く、長寿命で、耐衝撃性を備え、制御しやすい、等の優れた点があり、また、水銀と気体の汚染源もなく、環境保護タイプの照明光源であり、都市照明の発展のニーズを満足でき、都市環境の美化にとって最も理想的な選択である。
【０００５】
しかしながら、現在市場で見受けられるLED照明器具の制御手順は複雑で、且つ、多くが短調な照明光源を提供しているのみである。当然、効果的な美化機能を提供するためには、LED照明器具が多彩な表示効果を備えていなければならない。従来のコントローラ回路は、一組または複数組のLED全体を制御対象としており、各組LEDの異なるグレースケールを制御することでのみ、装飾ランプ全体の色彩表示効果を実現することができ、またこのため、表示できる色彩の変化模式もごく短調なものでしかない。
【０００６】
このため、いかに簡易に操作制御が可能なLED発光体を開発し、同時に多様な変化を備えた発光の組み合わせ状態の選択を提供し、多彩な表示効果を得るかが、長年克服が困難で解決が求められている問題である。これこそが、現在この関連領域における積極的な研究開発の目標となっている。
【考案の開示】
【考案が解決しようとする課題】
【０００７】
本考案の主な目的は、無線リモートコントローラ付のLED発光体であって、該発光体は、多種の異なる発光ダイオードを発光体とし、無線リモートコントローラの導入により、LEDの発光の組み合わせ状態を選択的に制御し、多彩な表示效果を得ることができる、無線リモートコントローラを利用したLED発光体を提供することにある。
【０００８】
本考案の別の目的は、無線リモートコントローラによる簡単な制御構造で、LED発光体の発光の組み合わせ状態を制御し、多彩な表示效果を得ることができる、LED発光体を提供することにある。
【課題を解決するための手段】
【０００９】
本考案のLED発光体は、LED発光ユニットと、回路制御ユニット及びデコーダを含むランプ座体と、該ランプ座体と係合され、ランプの形状を形成すると共に、該LED発光ユニットが発光する時、その発せられた光源を混合することができるランプ殼体と、該ランプ座体を覆う座体殼体と、該座体殼体の上に設置され、リモートコントローラが送信するエンコード信号を受信する受信器を含む。
【００１０】
前述のうち、該リモートコントローラはさらに、複数個の制御ボタンを備え、操作信号を発信するボタンセットと、該複数個の制御ボタンに接続され、該ボタンセットが発信する該操作信号をエンコーディングし、エンコード信号を生成するエンコーダと、該エンコーダに接続され、該エンコード信号を該受信器に対し送信する発信器を含む。
【００１１】
前述のうち、該LED発光ユニットはさらに、複数個のLED発光体を含み、該複数個LED発光体がそれぞれ複数種の色の光源を発生する。
【００１２】
前述のうち、該LED発光ユニットは、少なくとも赤色、青色、緑色、黄色LEDまたはその組み合わせで構成される発光器である。
【００１３】
前述のうち、該回路制御ユニットは、該LED発光ユニットに接続され、該LED発光ユニット内の複数個のLED発光体を制御し、必要な色の光源を発生させる。
【００１４】
前述のうち、該デコーダは、該回路制御ユニット及び該受信器の間に接続され、該エンコード信号を受信し、デコーディングを行い、制御信号を生成して該回路制御ユニットの動作を制御し、該LED発光ユニットに該リモートコントローラの該複数個の制御ボタンに対応し、必要な色の光源を発生させる。
【００１５】
前述のうち、該受信器は赤外線受信器である。
【００１６】
前述のうち、該LED発光体はさらに、電源供給器を含み、該LED発光体に接続し、該LED発光ユニットに電源を供給する。
【００１７】
前述のうち、該電源供給器はさらに、AC交流電源をDC直流電源に変換し供給する回路を含む。
【００１８】
前述のうち、該回路制御ユニットは機能切換回路である。
【００１９】
前述のうち、該回路制御ユニットはさらに、制御信号を増幅するための増幅回路を含む。
【００２０】
前述のうち、該ランプ座体はさらに、導線プラグを含む。
【００２１】
前述のうち、該受信器は、導線と該ランプ座体の該導線プラグを介して接続される。
【００２２】
本考案の別の実施例によれば、本考案のLED発光体は、エンコード信号を発信するリモートコントローラと、LED発光ユニットと、回路制御ユニット及びデコーダを含むランプ座体と、該ランプ座体と係合し、ランプの形状を形成すると共に、該LED発光ユニットが発光する時、その発する光源を混合することができるランプ殼体と、該ランプ座体を覆う座体殼体と、該座体殼体の上に設置され、該リモートコントローラが発信する該エンコード信号を受信する受信器を含む。
【００２３】
前述のうち、該リモートコントローラはさらに、複数個の制御ボタンを備え、操作信号を発信するボタンセットと、該複数個の制御ボタンに接続され、該ボタンセットが発信する該操作信号をエンコーディングし、該エンコード信号を形成するエンコーダと、該エンコーダに接続され、該エンコード信号を該受信器に送信する発信器を含む。
【００２４】
前述のうち、該LED発光ユニットはさらに、複数個のLED発光体を含み、該複数個LED発光体がそれぞれ複数種の色の光源を発する。
【００２５】
前述のうち、該LED発光ユニットは、少なくとも赤色、青色、緑色、黄色LEDまたはその組み合わせで構成される発光器である。
【００２６】
前述のうち、該回路制御ユニットは、該LED発光ユニットに接続され、該LED発光ユニット内の複数個のLED発光体を制御し、必要な色の光源を発生させる。
【００２７】
前述のうち、該デコーダは、該回路制御ユニット及び該受信器の間に接続され、該エンコード信号を受信し、デコーディングを行い、制御信号を生成して該回路制御ユニットの動作を制御し、該LED発光ユニットに該リモートコントローラの該複数個の制御ボタンに対応し、必要な色の光源を発生させる。
【００２８】
前述のうち、該受信器は赤外線受信器である。
【００２９】
前述のうち、該LED発光体はさらに、電源供給器を含み、該LED発光体に接続し、該LED発光ユニットに電源を供給する。
【００３０】
前述のうち、該電源供給器はさらに、AC交流電源をDC直流電源に変換し供給する回路を含む。
【００３１】
前述のうち、該回路制御ユニットは機能切換回路である。
【００３２】
前述のうち、該回路制御ユニットはさらに、制御信号を増幅するための増幅回路を含む。
【００３３】
前述のうち、該ランプ座体はさらに、導線プラグを含む。
【００３４】
前述のうち、該受信器は、導線と該ランプ座体の該導線プラグを介して接続される。
【考案の効果】
【００３５】
本考案は遠端から無線でリモートコントロールができる多彩なLED発光体を提供し、その構造は簡単で、組立て易く、且つ、多様な変化の選択操作模式を備えており、従来の統照明器具の電力浪費の問題と、短調な光色、困難な制御等、従来の技術では解決不能であった問題を解決することができる。
【考案を実施するための最良の形態】
【００３６】
以下、実施例に基づき本考案の内容について説明するが、本考案技術のLED発光体の応用は、ここで説明する実施例に限られず、その他あらゆる本考案技術のLED発光体の適用に参考とできる。
【実施例１】
【００３７】
図１a、図１b、図１cに本考案の最良の実施例によるLED発光体の外観図を示す。図に示すように、本考案のLED発光体は、LED発光ユニット21、回路制御ユニット22及びデコーダ23を含むランプ座体211と、該ランプ座体211と係合され、ランプの形状を形成し、且つ、該LED発光ユニット21が発光する時、その発する光源を混合することができるランプ殼体212と、該ランプ座体211を覆う座体殼体213と、該座体殼体213の上に設置され、リモートコントローラ1が発信するエンコード信号を受信する受信器24と、を含む。そのうち、該受信器24は、該座体殼体213の表面に設置され、導線214により該ランプ座体211の導線プラグ215に接続され、該リモートコントローラ1が発信する該エンコード信号を受信する。
【００３８】
実際の応用においては、該LED発光ユニット21は少なくとも赤色、青色、緑色、黄色のLEDまたはその組み合わせにより構成された発光器とする。該受信器24は赤外線受信器とする。前述のうち、該LED発光ユニット2はさらに、該LED発光ユニット２に接続された電源供給器を含み、該LED発光ユニット２１に電源が供給される。そのうち、該電源供給器はさらに、AC交流／DC直流電源変換供給回路25を含む。また、前記該回路制御ユニット22は機能切換回路221であり、さらに前記制御信号を増幅するための増幅回路222を含む。
【実施例２】
【００３９】
本考案の別の実施例によれば、本考案のLED発光体はエンコード信号を発信するリモートコントローラ1と、LED発光ユニット21、回路制御ユニット22及びデコーダ23を含むランプ座体211と、該ランプ座体211と係合され、ランプの形状を形成し、且つ、該LED発光ユニット21が発光する時、その発する光源を混合することができるランプ殼体212と、該ランプ座体211を覆う座体殼体213と、該座体殼体213の上に設置され、該リモートコントローラ1が発信する該エンコード信号を受信する受信器24と、を含む。
【００４０】
図２に本考案のリモートコントローラ付LED発光体の回路ダイアグラムを示す。図に示すように、本考案のLED発光体は、リモートコントローラ1及びLED発光ユニット2を含み、そのうち、該リモートコントローラ1は少なくともボタンセット11を含み、該ボタンセット１１は、操作信号を発信する複数個の制御ボタンと、該複数個の制御ボタンに接続され、該ボタンセット11が発信する該操作信号をエンコードし、エンコード信号を形成するエンコーダ12と、該エンコーダ12に接続され、該エンコード信号を発信する発信器13と、を含む。該LED発光ユニット2は少なくとも、複数個のLED発光体を含み、該複数個のLED発光体がそれぞれ複数種の色の光源を発するLED発光ユニット21と、該LED発光ユニットに接続され、該LED発光ユニット21内の複数個のLED発光体を制御し、必要な色の光源を発生させる回路制御ユニット22と、該リモートコントローラ1が発信する該エンコード信号を受信する受信器24と、該回路制御ユニット22及び該受信器24の間に接続され、該エンコード信号を受信してデコーディングを行い、制御信号を生成して該回路制御ユニット22の動作を制御するデコーダ23を含み、該LED発光ユニット2は該リモートコントローラ1の該複数個の制御ボタンにより制御され、必要な色の光源を発することができる。図３及び図４に、本考案のLED発光体の該リモートコントローラ1及び該LED発光ユニット2の回路図をそれぞれ示す。前述から分かるように、本考案のLED発光体の特殊な構造により、遠端から必要なLED光源の色を選択制御することができる。
【００４１】
以上、本考案について、前述の実施例に基づき詳細に説明してきたが、本考案の要旨を逸脱しないあらゆる変更や修飾も、本考案に含まれるものとし、よって、本考案は実用新案登録請求の範囲によって限定される。
【図面の簡単な説明】
【００４２】
【図１ａ】本考案の最良の実施例のLED発光体の外観を示す側面図である。
【図１ｂ】本考案の最良の実施例のLED発光体の外観を示す立体図である。
【図１ｃ】本考案の最良の実施例のLED発光体の外観を示す立体分解図である。
【図２】本考案のLED発光体とリモートコントローラの回路を示すダイアグラムである。
【図３】本考案のLED発光体の該リモートコントローラの回路図である。
【図４】本考案のLED発光体の該発光体の回路図である。
【符号の説明】
【００４３】
１          リモートコントローラ
１１        ボタンセット
１２        エンコーダ
１３        発信器
２          発光体
２１        LED発光ユニット
２１１      ランプ座体
２１２      ランプ殼体
２１３      座体殼体
２１４      導線
２１５      導線プラグ
２２        回路制御ユニット
２２１      機能切換回路
２２２      増幅回路
２３        デコーダ
２４        受信器
２５        AC交流／DC直流電源変換供給回路
【図１ａ】
0003105089.tif 000003
【図１ｂ】
0003105089.tif 000004
【図１ｃ】
0003105089.tif 000005
【図２】
0003105089.tif 000006
【図３】
0003105089.tif 000007
【図４】
0003105089.tif 000008